(57)【要約】      （修正有）【課題】発熱部品が実装された増幅ユニットを有し、外気を利用して増幅ユニットを冷却する増幅装置に於いて、海岸沿いなど様々な環境に於いても、腐食による運用中団を防ぎ、信頼性を高めること。【解決手段】冷却ファンより風を受ける発熱ユニットと、前記冷却ファンと前記発熱ユニットを内部に組み込む架と、前記発熱ユニットに接続され、前記架の接続部を通じて、前記架の外部に取り付けた制御用基板とから構成される増幅装置に於いて、前記接続部は、防風部を設けたことを特徴とする増幅装置。【選択図】図１
2004200453.tif 000002
【特許請求の範囲】
【請求項１】
冷却ファンより風を受ける発熱ユニットと、
前記冷却ファンと前記発熱ユニットを内部に組み込む架と、
前記発熱ユニットに接続され、前記架の接続部を通じて、前記架の外部に取り付けた制御用基板と
から構成される増幅装置に於いて、
前記接続部は、防風部を設けた
ことを特徴とする増幅装置。
【発明の詳細な説明】
【０００１】
【発明の属する技術分野】
本発明は電子機器、特に発熱部品が実装された増幅ユニットと、前記増幅ユニットを制御する制御部を有する増幅装置に関するものである。
【０００２】
【従来の技術】
通信装置等では、受信信号、送信信号を増幅するための増幅装置を有しており、それは主に増幅装置の中の増幅素子より増幅されている。増幅素子は、正常に働いているときは、熱が発生し、熱が発生し続けると周囲の機器に影響を与えたり、素子自身が破壊されてしまうことがある。そのため増幅装置は増幅素子を冷却する冷却部を有している。
【０００３】
例えば特許文献１には、増幅ユニットを冷却する増幅装置が開示されている。
【０００４】
従来の増幅装置を図４、図５を用いて説明する。
１は増幅ユニット４を実装する架、２は増幅ユニット４等を制御する制御部を有するプリント基板、３は増幅ユニット４とプリント基板２を接続する接続部、５は発熱部品を実装した発熱ユニットを冷却する冷却部、６は架に於いてプリント基板２を実装し、またプリント基板２と増幅ユニット４を接続する接続部３を有する背板部である。架１は本来増幅ユニット等を入れる筐体構造になっているが、説明のために、一部省略して記載している。
【０００５】
ここで、増幅ユニット４は４−１〜４−ｍまで複数設けられ、接続部３は増幅ユニット４に対応した３−１〜３−ｍまで設けられている。増幅ユニット４は矢印の方向に挿入され、接続部３に接続される。冷却部５は５−１〜５−ｎまで複数設けられている。
【０００６】
電源を投入すると、発熱素子を搭載した増幅ユニット４が発熱するため、冷却部５は、プッシュ式と呼ばれる方法では、外部より空気を取り込み増幅ユニット４に空気を送り、増幅ユニット４を冷却する。プッシュ式では、矢印方向に冷却風が流れる。また、プル式の場合は、架内部の空気を吐き出し、それにより増幅ユニット４を冷却する。プッシュ式の場合は、局部的に厚い箇所をダイレクトに冷却する効果があるのに対し、プル式は全体を均一に冷却する効果があり、使用用途により使い分けられている。
【０００７】
図５は、図４の接続部３の周囲を拡大したものである。７は増幅ユニット４−１〜４−ｍにそれぞれ設けられたコネクタ、１１は接続部３−１〜３−ｍにそれぞれ設けたコネクタである。コネクタ７に接続されている接続部３の逆側に、ここでは図示しないプリント基板２が設けられている。
【０００８】
【特許文献１】特開２００１−９４２８１
【０００９】
【発明が解決しようとする課題】
近年、携帯電話等の移動体無線が普及されると共に、増幅装置を搭載した基地局装置に対し信頼性への要求が高まっている。障害が発生し、運用を中断した場合に、多大な損害を与えることになるからである。
【００１０】
また、増幅装置を搭載している基地局装置、中継局装置は多様な地域へ設置されている。例えば、空気中に塩分が含まれる海岸地域、温泉の噴煙が届いてしまう地域、車の粉塵が多い地域、工場の噴煙が届いてしまう地域、等様々な空気の状態の地域である。
【００１１】
これらの様々な環境の中で装置を動かすためには、これらの環境に耐えうること、つまり粉塵や塩分などによる腐食に耐えうることに配慮しなくてはならない。
【００１２】
図４にてファンの吸い出し方向をプッシュ式とし、コネクタ３−１〜３−ｍと背板部２に隙間があった場合には、冷却ファン５−１〜５−ｎの風がこの隙間を抜けてプリント基板２にあたることになる。プリント基板２のパターンの上に塗布される絶縁材であるレジストの最小膜圧は通常カーテンコート法では６μｍ、スクリーン印刷法では７μｍと薄い。屋内に設置されている場合であっても、外気を取り込む構造になっているときは、例えば海岸地域では、ファンにより吸気した空気中に含まれる塩分が、プリント基板の表面に付着、堆積してしまうことがある。これにより、レジストが浸食され、プリント基板上のパターンを腐食、断線させてしまうことがあった。また、通常接続部に設けたコネクタ１１と背板部２の隙間は数ｍｍ程度と比較的細く作られることから、風が当たることによる障害を見逃しがちである。
【００１３】
本発明は上記問題に鑑み、様々な環境に於いても、腐食による運用中断を防ぎ、基地局等の信頼性を高めることを目的としている。
【００１４】
【課題を解決するための手段】
そこで、本発明では冷却ファンより風を受ける発熱ユニットと、前記冷却ファンと前記発熱ユニットを内部に組み込む架と、前記発熱ユニットに接続され、前記架の接続部を通じて、前記架の外部に取り付けた制御用基板とから構成される増幅装置に於いて、前記接続部は、防風部を設けたことを特徴とする増幅装置を提供することとする。
【００１５】
【発明の実施の形態】
次に、本発明の第一の実施の形態について、図１、図２を参照しながら説明する。
図１は本発明の第一の実施例の構造図であり、図２は本発明の第一の実施例の接続部の拡大図である。ここで、図４、図５と同様の番号のものは、同様の構成であるので説明を省略する。
【００１６】
第一の実施例の増幅装置について説明する。図４より新たに追加された、もしくは置き換えられた構成は、１３の本実施例の接続部である。
増幅ユニット４は、接続部１３を通じて、背板部６に接続されているプリント基板２に接続される。
【００１７】
本実施例の接続部１３について、図２を用いて詳細に説明する。図２は接続部１３を増幅ユニット４のコネクタ７に接続した図であり、コネクタ７と反対側は図示しない背板部６に接続されている。接続部１３はコネクタ７を接続するコネクタ８を有し、背板部６に接続される側にフランジ１２を設けた構造となっている。
【００１８】
接続部１３のフランジ１２部は、背板部２に設けた接続部１３を実装する穴の部分より大きくするように設ける。
【００１９】
次に本実施例を適用した増幅装置の動作を説明する。
電源を投入すると、発熱素子を搭載した増幅ユニット４が発熱するため、冷却部５は、プッシュ式では、外部より空気を取り込み増幅ユニット４に空気を送り、増幅ユニット４を冷却する。また、プル式の場合は、架内部の空気を吐き出し、それにより増幅ユニット４を冷却する。
【００２０】
プッシュ式にて冷却するときは、外気を吸引し、増幅ユニット４に空気をあてて冷却している。このとき、ファンは外気を増幅ユニット４に送風し、冷却し、さらに接続部１３近辺にも外気を送風することになる。送風された外気は、接続部１３のフランジ部により防がれ、プリント基板には風が当たらないようになる。
【００２１】
プル方式の場合は、電源投入後架内の空気を外部に排出することになるが、このとき接続部１３のフランジ部により架内の空気がプリント基板２へ接触することはなくなる。
【００２２】
続いて第二の実施例を図３を用いて詳細に説明する。ただし、図４と同様の番号は、同様の構成であるので、説明を省略する。
図３に新たに追加された構成は、カバー部９−１１〜９−ｍ１、９−１２〜９−ｍ２、カバー接続用ビス１０−１〜１０−ｐである。
【００２３】
カバー部９は、背板部２と接続部３との隙間を塞ぐ位置に設ける。尚、カバー部９の形状は図４に示した四角状のものに限らず、例えばコの字状等、背板部２と接続部３の隙間を埋める、もしくは塞ぐようなものであればよい。
ここで、カバー部９はカバー接続用ビス１０により、背板部６に接続されている。しかしながら、それに限るものではなく、接着剤などにより接続してもよい。
【００２４】
ここでは、フランジやカバーなどにより、風からの当たりを防ぐことを説明したが、これに限るものではなく、プリント基板上へコーティング材を塗布する、保護テープを貼り付ける、またプリント基板のパターン上の絶縁材であるレジスト材を２度塗りすること等によりパターン断線を防ぐことが可能である。
【００２５】
【発明の効果】
以上説明したように、本発明は、外気を利用して増幅ユニットを冷却する増幅装置に於いてプリント基板への風を防ぐことが可能となる。このため、例えば塩分など腐食物質が外気としてある場合など、様々な環境に於いても腐食に耐えうることができ、長期間に渡り増幅装置が運用可能となる。
【図面の簡単な説明】
【図１】第一の実施例の増幅装置
【図２】第一の実施例の接続部
【図３】第二の実施例の増幅装置
【図４】従来の増幅装置
【図５】従来の接続部
【符号の説明】
１…架  ２…プリント基板  ３、１３…接続部  ４…増幅ユニット
５…冷却部  ６…背板部  ７、８、１１…コネクタ  ９…カバー部
１０…取り付けビス  １２…フランジ
【図１】
2004200453.tif 000003
【図２】
2004200453.tif 000004
【図３】
2004200453.tif 000005
【図４】
2004200453.tif 000006
【図５】
2004200453.tif 000007